(57)【要約】【課題】刷版を版胴に対して装着させるための刷版装着装置の構造を複雑化させることなく、版胴に対する刷版の取り付け作業を一人でも容易に行うことができるようにする。【解決手段】刷版装着溝１２及び収容部１１が形成された版胴本体１０並びに収容部１１内に収容された刷版装着装置５０を備える版胴２と、可撓性薄板材の一端部が折り曲げられることにより形成され、刷版装着溝１２のエッジ部１３に係止可能に構成された咥え側端部６、及び、可撓性薄板材の他端部が折り曲げられることにより形成され、刷版装着装置５０に係止可能な係止部８ａを有する咥え尻側端部８を備える刷版４とを備える。咥え尻側端部８は、刷版装着溝１２内に挿入された際に、少なくとも一部が刷版装着溝１２内の咥え側の壁部１３ａ又はエッジ部１３に係止された咥え側端部６を押圧可能な角度からなる鈍角に折り曲げられている。【選択図】図９
2015231685.tif 000002
【特許請求の範囲】
【請求項１】
軸方向に沿って延びる刷版装着溝及び該刷版装着溝から径方向内側に延びる内部空間である収容部が形成された円柱状の版胴本体、並びに、前記収容部内に収容された刷版装着装置を備える版胴と、
可撓性薄板材の一端部が折り曲げられることにより形成され、前記刷版装着溝のエッジ部に係止可能に構成された咥え側端部、及び、前記可撓性薄板材の他端部が折り曲げられることにより形成され、前記刷版装着装置に係止可能な係止部を有する咥え尻側端部を備える刷版と、を備え、
前記咥え尻側端部は、前記刷版装着溝内に挿入された際に、少なくとも一部が該刷版装着溝内の咥え側の壁部又は前記エッジ部に係止された前記咥え側端部を押圧可能な角度からなる鈍角に折り曲げられている
ことを特徴とする刷版付き版胴。
【請求項２】
軸方向に沿って延びる刷版装着溝及び該刷版装着溝から径方向内側に延びる内部空間である収容部が形成された円柱状の版胴本体と、前記収容部内に収容された刷版装着装置と、を備える版胴に、
可撓性薄板材の一端部が折り曲げられることにより形成され、前記刷版装着溝のエッジ部に係止可能に構成された咥え側端部と、前記可撓性薄板材の他端部が折り曲げられることにより形成され、前記刷版装着装置に係止可能な係止部を有する咥え尻側端部と、を備える刷版を装着させる刷版装着方法であって、
前記咥え尻側端部は、前記刷版装着溝内に挿入された際に、少なくとも一部が該刷版装着溝内の咥え側の壁部又は前記エッジ部に係止された前記咥え側端部を押圧可能な角度からなる鈍角に折り曲げられており、
前記刷版の前記咥え側端部を前記刷版装着溝のエッジ部に係止させる係止工程と、
前記刷版を前記版胴の外周面に巻き付ける刷版巻付工程と、
前記刷版の前記咥え尻側端部に外力を加えることにより、該咥え尻側端部の折り曲げ角度を平常状態時の折り曲げ角度よりも小さくなるように折り曲げる折曲工程と、
折り曲げられた状態の前記咥え尻側端部を前記版胴本体の前記刷版装着溝内に挿入する挿入工程と、
前記挿入工程後に、前記咥え尻側端部に対する前記外力を排除することにより、前記咥え尻側端部の少なくとも一部を前記刷版装着溝内の咥え側の壁部若しくは前記エッジ部に係止された前記咥え側端部に押圧させる仮装着工程と、
前記仮装着工程後に、前記刷版装着装置により前記咥え尻側端部を引き込み、前記刷版を前記版胴本体の周面に装着させる装着工程と、
を備えることを特徴とする刷版装着方法。
【発明の詳細な説明】
【技術分野】
【０００１】
本発明は、刷版及び版胴を備える刷版付き版胴、並びに、輪転印刷機に用いられる版胴に刷版を装着させるための刷版装着方法に関するものである。
【背景技術】
【０００２】
従来、新聞用オフセット輪転印刷機に用いられる印刷ユニットは、多数のインキ供給ローラーを有するインキ供給装置と、刷版が装着される版胴と、ブランケットが装着されるブランケット胴とを備えており、インキ供給装置から供給されたインキが版胴を介してブランケット胴に供給され、ブランケット胴が走行する連続紙と所定の圧力で接触することにより、連続紙に刷版の内容（文字や画像等）が転写されるよう構成されている。
【０００３】
このような印刷ユニットに用いられる従来の版胴１００は、図１０（ａ）〜図１０（ｃ）に示すように、軸方向に沿って延びる刷版装着溝１０２と、刷版装着溝１０２に連続する内部空間である収容部１０４とが形成されており、該収容部１０４に、刷版１１０を版胴１００の周面に取り付けるための刷版装着装置１０６が埋設されている。また、従来の刷版１１０は、版胴１００の刷版装着溝１０２の一方側のエッジ部１０３に係止可能な咥え側端部１１２と、刷版装着装置１０６の係止爪１０８に係止可能な咥え尻側端部１１４とを有している。この咥え側端部１１２は、刷版装着溝１０２のエッジ部１０３と密着して係止するために、その折り曲げ角度α´が刷版装着溝１０２のエッジ部１０３と略同じ角度となるように形成されている。また、咥え尻側端部１１４は、刷版装着溝１０２内にスムーズに進入できるようにするために、その折り曲げ角度β´が略９０°となるように形成されている。このような従来の刷版１１０は、図１０（ａ）に示すように、刷版装着溝１０２のエッジ部１０３に咥え側端部１１２を係止させた後、図１０（ｂ）に示すように、咥え尻側端部１１４を刷版装着溝１０２から版胴１００の内部に挿入し、その後、図１０（ｃ）に示すように、刷版装着装置１０６によって咥え尻側端部１１４を引き込むことにより、版胴１００に装着される。
【０００４】
しかしながら、図１０（ａ）〜図１０（ｃ）に示す従来の版胴１００及び刷版１１０では、咥え尻側端部１１４を刷版装着溝１０２内に挿入してから、刷版装着装置１０６を操作して咥え尻側端部１１４を引き込むまでの間において、版胴１００に巻き付けた刷版１１０の復元力により咥え尻側端部１１４が刷版装着溝１０２から抜け出ないように、刷版１１０を押さえる必要がある。このため、従来の版胴１００及び刷版１１０では、刷版１１０を押さえるための作業員と、刷版装着装置１０６を操作するための作業員との少なくとも２名が必要となり、作業効率が悪いという問題がある。
【０００５】
このような問題を解決するために、近年、改良された刷版装着装置１０６´が提案されている（特許文献１参照）。この改良された刷版装着装置１０６´は、係止爪１０８´の回転位相位置を、咥え尻側端部１１４を刷版装着溝１０２内に取り付ける取付位置と、咥え尻側端部１１４を刷版装着溝１０２内へ引き込むことで刷版１１０を版胴１００の外周面に装着させる締め位置と、咥え尻側端部１１４を刷版装着溝１０２内から解放する脱位置とのいずれか１つに切り替え固定可能に構成されている。このような改良された刷版装着装置１０６´では、図１１（ａ）及び図１１（ｂ）に示すように、係止爪１０８´を取付位置で固定させた状態で咥え尻側端部１１４を刷版装着溝１０２内に進入させ、咥え尻側端部１１４を係止爪１０８´に係止させた後に、図１１（ｃ）に示すように、刷版装着装置１０６´によって咥え尻側端部１１４を引き込み、版胴１００に刷版１１０を装着させることが可能である。このため、改良された刷版装着装置１０６´によれば、刷版１１０の取り付け及び取り外しのための作業を一人で実行することが可能である。
【先行技術文献】
【特許文献】
【０００６】
【特許文献１】特許第４６９９１０６号公報
【発明の概要】
【発明が解決しようとする課題】
【０００７】
しかしながら、改良された従来の刷版装着装置１０６´では、係止爪１０８´の回転位相位置を取付位置、締め位置及び脱位置に切り替え、かつ、それぞれの位置において固定するための機構が必要となり、その構造が非常に複雑になるという問題がある。また、改良された従来の刷版装着装置１０６´では、咥え尻側端部１１４を係止爪１０８´を乗り越えて係止させるために、非常に大きな力が必要となるため、取り付け作業が容易ではないという問題がある。
【０００８】
本発明は、上述した従来技術の問題点に鑑みてなされたものであり、その目的は、刷版を版胴に対して装着させるための刷版装着装置の構造を複雑化させることなく、版胴に対する刷版の取り付け作業を一人でも容易に行うことができるようにすることが可能な刷版付き版胴及び刷版装着方法を提供することにある。
【課題を解決するための手段】
【０００９】
本発明に係る刷版付き版胴は、軸方向に沿って延びる刷版装着溝及び該刷版装着溝から径方向内側に延びる内部空間である収容部が形成された円柱状の版胴本体、並びに、前記収容部内に収容された刷版装着装置を備える版胴と、可撓性薄板材の一端部が折り曲げられることにより形成され、前記刷版装着溝のエッジ部に係止可能に構成された咥え側端部、及び、前記可撓性薄板材の他端部が折り曲げられることにより形成され、前記刷版装着装置に係止可能な係止部を有する咥え尻側端部を備える刷版と、を備え、前記咥え尻側端部は、前記刷版装着溝内に挿入された際に、少なくとも一部が該刷版装着溝内の咥え側の壁部又は前記エッジ部に係止された前記咥え側端部を押圧可能な角度からなる鈍角に折り曲げられていることを特徴とする。
【００１０】
また、本発明に係る刷版装着方法は、軸方向に沿って延びる刷版装着溝及び該刷版装着溝から径方向内側に延びる内部空間である収容部が形成された円柱状の版胴本体と、前記収容部内に収容された刷版装着装置と、を備える版胴に、可撓性薄板材の一端部が折り曲げられることにより形成され、前記刷版装着溝のエッジ部に係止可能に構成された咥え側端部と、前記可撓性薄板材の他端部が折り曲げられることにより形成され、前記刷版装着装置に係止可能な係止部を有する咥え尻側端部と、を備える刷版を装着させる刷版装着方法であって、前記咥え尻側端部は、前記刷版装着溝内に挿入された際に、少なくとも一部が該刷版装着溝内の咥え側の壁部又は前記エッジ部に係止された前記咥え側端部を押圧可能な角度からなる鈍角に折り曲げられており、前記刷版の前記咥え側端部を前記刷版装着溝のエッジ部に係止させる係止工程と、前記刷版を前記版胴の外周面に巻き付ける刷版巻付工程と、前記刷版の前記咥え尻側端部に外力を加えることにより、該咥え尻側端部の折り曲げ角度を平常状態時の折り曲げ角度よりも小さくなるように折り曲げる折曲工程と、折り曲げられた状態の前記咥え尻側端部を前記版胴本体の前記刷版装着溝内に挿入する挿入工程と、前記挿入工程後に、前記咥え尻側端部に対する前記外力を排除することにより、前記咥え尻側端部の少なくとも一部を前記刷版装着溝内の咥え側の壁部若しくは前記エッジ部に係止された前記咥え側端部に押圧させる仮装着工程と、前記仮装着工程後に、前記刷版装着装置により前記咥え尻側端部を引き込み、前記刷版を前記版胴本体の周面に装着させる装着工程と、を備えることを特徴とする。
【発明の効果】
【００１１】
本発明によれば、刷版を版胴に対して装着させるための刷版装着装置の構造を複雑化させることなく、版胴に対する刷版の取り付け作業を一人でも容易に行うことができるようにすることが可能な刷版付き版胴及び刷版装着方法を提供することができる。
【図面の簡単な説明】
【００１２】
【図１】本発明の一実施形態に係る刷版付き版胴の概略構成を一部切り欠いて示す図である。
【図２】本実施形態に係る版胴の概略構成を示す図である。
【図３】図２のＡ−Ａ´線に沿った断面の一部を拡大して示す図である。
【図４】本実施形態に係る版胴を分解した状態を示す一部拡大断面図である。
【図５】本実施形態に係る刷版装着装置の概略構成を示す図である。
【図６】図５のＢ−Ｂ´線に沿った断面を拡大して示す図である。
【図７】図７（ａ）は、本実施形態に係る刷版の概略構成を示す斜視図であり、図７（ｂ）は、本実施形態に係る刷版の概略構成を示す正面図である。
【図８】図８（ａ）は、本実施形態に係る刷版が版胴に仮装着されている状態を示す図であり、図８（ｂ）は、当該仮装着状態を簡略化して示す図である。
【図９】図９（ａ）は、本実施形態に係る刷版装着方法の係止工程、刷版巻付工程及び折曲工程を示す図であり、図９（ｂ）は、本実施形態に係る刷版装着方法の挿入工程及び仮装着工程を示す図であり、図９（ｃ）は、本実施形態に係る刷版装着方法の刷版装着工程を示す図である。
【図１０】従来の版胴に従来の刷版を装着させる手順を示す図である。図１０（ａ）は、刷版装着溝のエッジ部に咥え側端部を係止させ、版胴に巻き付けた状態を示す図であり、図１０（ｂ）は、咥え尻側端部を刷版装着溝から版胴の内部に挿入させた状態を示す図であり、図１０（ｃ）は、刷版装着装置によって咥え尻側端部を引き込んだ状態を示す図である。
【図１１】改良された従来の版胴に従来の刷版を装着させる手順を示す図である。図１１（ａ）は、刷版装着溝のエッジ部に咥え側端部を係止させ、版胴に巻き付けた状態を示す図であり、図１１（ｂ）は、咥え尻側端部を版胴の内部に挿入し、係止爪に係止させた状態を示す図であり、図１１（ｃ）は、刷版装着装置によって咥え尻側端部を引き込んだ状態を示す図である。
【発明を実施するための形態】
【００１３】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１４】
本実施形態に係る刷版付き版胴１は、図１に示すように、円柱状に形成された版胴２と、版胴２の周面に装着された刷版４とを備えている。
【００１５】
版胴２は、図２に示すように、新聞１頁の横方向の長さの４倍に略等しい軸方向の長さ（Ｗ）と、新聞１頁の縦方向の長さと略等しい周方向の長さ（Ｌ）とを有する周面を有し、この周面部分に刷版４を軸方向に並べて４つ装着することが可能な所謂４（Ｗ）×１（Ｌ）型の版胴である。この版胴２は、その両端部にそれぞれ取付け軸２ａ，２ｂが設けられており、これら取付け軸２ａ，２ｂが軸受け（図示せず）を介してフレーム（図示せず）に取り付けられ、一方の取付け軸２ａに接続される回転駆動手段（図示せず）により所定の速度で回転駆動されるよう構成されている。
【００１６】
また、版胴２は、図１〜図３に示すように、軸方向に沿って延びる直線状の刷版装着溝１２及びこの刷版装着溝１２から径方向内側に延びる内部空間である収容部１１が形成された円柱状の版胴本体１０と、版胴本体１０の収容部１１内に埋設された刷版装着装置５０とを備えている。
【００１７】
版胴本体１０は、図３及び図４に示すように、刷版装着装置５０を挿脱可能な直線状の溝部１６が軸方向に沿って形成された円柱状の本体部材１４と、刷版装着溝１２及びこの刷版装着溝１２と連続する収容部１１が形成されるように溝部１６を部分的に閉塞する蓋部材１８とを備えている。
【００１８】
本体部材１４は、例えば炭素鋼やステンレス鋼等の金属から形成される円柱状のシリンダーであり、図２に示すように、その軸方向の両端部に、刷版装着装置５０の第１〜第４操作機構５４ａ〜５４ｄを操作するための操作開口部１４ａ，１４ｂがそれぞれ形成されている。本体部材１４の溝部１６は、一方の操作開口部１４ａから他方の操作開口部１４ｂに亘る領域に形成されており、図３に示すように、蓋部材１８が固定具１９により固定された際に、蓋部材１８の周面が本体部材１４の周面と段差なく連続し、蓋部材１８の周面と本体部材１４の周面とが一体となって版胴本体１０の周面を形成することとなるように、蓋部材１８の形状に沿った形状に形成されている。溝部１６の版胴回転方向後方側の端縁部（エッジ部１３）は、図３及び図４に示すように、刷版装着溝１２内の咥え側溝壁（咥え側の壁部）１３ａと本体部材１４の外周面との交点を頂点とした角度が鋭角となるよう構成されており、刷版４の後述する咥え側端部６が係止可能に構成されている。ここで、版胴回転方向とは、図１、図３及び図４に示す矢印Ａの方向である。この本体部材１４の溝部１６は、蓋部材１８を本体部材１４から取り外すことにより、刷版装着装置５０を挿脱させることが可能な大きさに形成されている。
【００１９】
蓋部材１８は、例えば炭素鋼やステンレス鋼等の金属から形成された長尺状のブロック部材であり、図２に示すように、本体部材１４の一方の操作開口部１４ａから他方の操作開口部１４ｂに亘る長手方向の長さを有している。この蓋部材１８は、長手方向の一端部及び他端部にそれぞれ配置される短尺状ブロック部材２２と、これら２つの短尺状ブロック部材２２の間に配置される３つの長尺状ブロック部材２４と、これら短尺状ブロック部材２２と長尺状ブロック部材２４との間及び隣接する長尺状ブロック部材２４，２４の間の計４箇所にそれぞれ配置されるピン付きブロック部材２０とに分割されている。ピン付きブロック部材２０は、版胴本体１０に対する刷版４の取付位置を特定するためのレジスターピン（図示せず）がエッジ部１３側に向けて突出して設けられたブロック部材である。短尺状ブロック部材２２及び長尺状ブロック部材２４は、版胴本体１０の周面に取り付けられる各刷版４の後述する切欠き４ｂ，４ｃと整合する位置に各レジスターピンが位置することとなるように、４つのピン付きブロック部材２０の長手方向の位置（すなわち、版胴本体１０の軸方向）を位置決めするスペーサー部材として機能するブロック部材である。
【００２０】
また、蓋部材１８は、図３に示すように、固定具１９により本体部材１４の溝部１６に対して着脱自在に取り付け可能に構成されており、本体部材１４に取り付けられた際に、本体部材１４のエッジ部１３と、これと対向する蓋部材１８の先端縁１８ａとの間に刷版装着溝１２が形成されると共に、蓋部材１８の先端縁１８ａ側の側面１８ｂと本体部材１４の溝部１６とにより刷版装着装置５０の後述する係止部材５２を収容するための収容部１１が形成されるよう構成されている。蓋部材１８の上面１８ｃは、図３に示すように、本体部材１４に取り付けられた際に、本体部材１４の周面と段差なく連続し、本体部材１４の周面と共に版胴本体１０の周面を形成可能な曲面に形成されている。蓋部材１８の先端縁１８ａは、上面１８ｃから版胴本体１０の中心に向けて略直角に屈曲して形成されており、側面１８ｂは、刷版装着装置５０の後述する係止部材５２の周面に沿った曲面状に形成されている。
【００２１】
このような蓋部材１８の構成によれば、刷版装着装置５０に損傷等が生じた際に、版胴本体１０を一対のフレーム（図示せず）から取り外すことなく、蓋部材１８を本体部材１４から取り外すだけで、損傷個所のメンテナンス及び修理作業を行うことができるため、作業効率をより一層向上させることが可能である。また、蓋部材１８やレジスターピンに損傷や摩耗によるトラブルが発生した場合には、蓋部材１８全体ではなく、損傷が発生したブロック（ピン付きブロック部材２０、短尺状ブロック部材２２及び長尺状ブロック部材２４）を交換するのみで修理が可能であるため、蓋部材１８全体を交換する場合よりもコスト及び作業負担を軽減することが可能である。さらに、短尺状ブロック部材２２若しくは長尺状ブロック部材２４にピン付きブロック部材２０を付き当てて（密着させて）配置させるという簡単な作業のみによって、レジスターピンの位置決めを行うことが可能である。
【００２２】
刷版装着装置５０は、図５に示すように、刷版装着溝１２に沿って延びる棒状に形成され、刷版装着溝１２と平行となるように版胴本体１０の収容部１１に収容される係止部材５２と、係止部材５２の両端部に設けられた第１〜第４操作機構５４ａ〜５４ｄとを備えている。
【００２３】
係止部材５２は、４つの角変位軸（第１〜第４角変位軸５２ａ〜５２ｄ）が同軸となるように軸方向に沿って連結されることにより構成されており、新聞１頁の横方向の長さの４倍に略等しい軸方向の長さを有している。
【００２４】
第１〜第４角変位軸５２ａ〜５２ｄは、図３〜図６に示すように、棒状に形成されたシャフト部材５６の周囲にすべり軸受けとして機能する軸受け部材６０が設けられることによりそれぞれ構成されている。これら第１〜第４角変位軸５２ａ〜５２ｄは、それぞれ新聞１頁の横方向の長さと略等しい軸方向の長さを有している。第１角変位軸５２ａは、係止部材５２の一端部に設けられた第１操作機構５４ａに接続されている。第２角変位軸５２ｂは、係止部材５２の一端部に設けられた第２操作機構５４ｂに接続されている。第３角変位軸５２ｃは、係止部材５２の他端部に設けられた第３操作機構５４ｃに接続されている。第４角変位軸５２ｄは、係止部材５２の他端部に設けられた第４操作機構５４ｄに接続されている。これら第１〜第４角変位軸５２ａ〜５２ｄは、接続された操作機構を操作することにより、軸を中心としてそれぞれ独立して刷版４を牽引又は緩める方向に軸回転（角変位）するよう構成されている。
【００２５】
シャフト部材５６は、例えばステンレス鋼等の金属から形成されており、新聞１頁の横方向の長さと略等しい軸方向の長さを有する角柱状若しくは角筒状に形成されている。シャフト部材５６の軸方向の中央部には、図５に示すように、版胴本体１０のレジスターピン（図示せず）との干渉を防止するための逃げ溝５７が周方向に沿って形成されている。シャフト部材５６の一の側面には、図３〜図６に示すように、刷版４の咥え尻側端部８の係止部８ａが係止可能に構成された係止爪５８が形成されている。また、シャフト部材５６の係止爪５８が形成された側面以外の３つの側面は、いずれも平滑面となるよう形成されている。
【００２６】
軸受け部材６０は、図３〜図６に示すように、平滑な底面と弧状の上面とからなる断面形状を有する長尺な蒲鉾状に形成されており、シャフト部材５６の逃げ溝５７及び係止爪５８が形成された領域以外の略全域を覆うように、シャフト部材５６の周囲に複数取り付けられている。軸受け部材６０の上面は、図３、図４及び図６に示すように、シャフト部材５６に取り付けられた際に、シャフト部材５６の軸を中心とした所定の径の真円に沿うような曲率を有している。この軸受け部材６０は、シャフト部材５６及び版胴本体１０を形成する各材料よりも軟質な樹脂材料から形成されている。このような樹脂材料としては、耐熱性及び機械的強度などの性能が汎用プラスチックより優れる所謂エンジニアリングプラスチックを用いることが好適である。
【００２７】
第１〜第４操作機構５４ａ〜５４ｄは、図６に示すように、それぞれ、対応する角変位軸（第１〜第４角変位軸５２ａ〜５２ｄ）を操作するためのレバー５５を備えている。レバー５５は、刷版４の咥え尻側端部８を係止部材５２の係止爪５８により版胴２の内部に引き込み、刷版４を版胴２の外周面上に締め付ける装着位置と、係止部材５２の係止爪５８と刷版４の咥え尻側端部８との係合が解除され、刷版４の着脱が可能となる解除位置との間において、対応する角変位軸（第１〜第４角変位軸５２ａ〜５２ｄ）を角変位させるよう構成されている。また、レバー５５は、対応する角変位軸（第１〜第４角変位軸５２ａ〜５２ｄ）が装着位置及び解除位置のいずれかに到達した際にロックされ、作業者によりロックが解除されない限り、対応する角変位軸（第１〜第４角変位軸５２ａ〜５２ｄ）の角変位が規制されるよう構成されている。
【００２８】
刷版４は、金属製の可撓性を有する薄板材から形成されており、図７（ａ）及び図７（ｂ）に示すように、長手方向の一方側の端縁部を折り曲げることにより形成された咥え側端部６と、長手方向の他方側の端縁部を折り曲げることにより形成された咥え尻側端部８とを備えている。刷版４の咥え側端部６及び咥え尻側端部８を除いた部分の長手方向の長さ（すなわち、平板状のベース部４ａの長手方向の長さ）は、版胴２の円周方向長さから刷版装着溝１２の溝幅ｂ（図８（ａ）参照）を除いた長さに略等しい長さに設定されている。
【００２９】
咥え側端部６は、図７（ａ）、図７（ｂ）及び図８（ａ）に示すように、刷版４の長手方向の一方側の端縁部（図７中、左側の端縁部）が刷版４の裏面側に所定の角度で折り曲げられることにより形成され、版胴本体１０のエッジ部１３に係止可能に構成されている。咥え側端部６の折り曲げ角度αは、図７（ｂ）及び図８（ａ）に示すように、版胴本体１０のエッジ部１３と概ね同じ角度からなる鋭角となるよう設定されている。ここで、咥え側端部６の折り曲げ角度とは、咥え側端部６とベース部４ａとの交点を頂点とした角度である。咥え側端部６の幅方向の略中央には、図７（ａ）に示すように、蓋部材１８のレジスターピン（図示せず）と係合可能な切欠き４ｂが形成されている。
【００３０】
咥え尻側端部８は、図７（ａ）、図７（ｂ）及び図８（ａ）に示すように、刷版４の長手方向の他方側の端縁部（図７中、右側の端縁部）が刷版４の裏面側に所定の角度で折り曲げられることにより形成されている。この咥え尻側端部８は、一人の作業員が発揮可能な程度の外力により平常時の折り曲げ角度βよりも小さくなるように折り曲げることが可能で、かつ、その外力を排除した際に元の形状に復元することが可能な弾性を有している。咥え尻側端部８の先端縁部は、刷版４の長手方向の一方側に向けて更に折り曲げられており、係止部材５２の係止爪５８に係止可能な係止部８ａを構成している。咥え尻側端部８の幅方向の略中央には、図７（ａ）に示すように、蓋部材１８のレジスターピン（図示せず）と係合可能な切欠き４ｃが形成されている。
【００３１】
この咥え尻側端部８は、図７（ｂ）及び図８（ａ）に示すように、刷版装着溝１２内に挿入された際に、少なくとも一部が刷版装着溝１２内の咥え側溝壁（咥え側の壁部）１３ａ又はエッジ部１３に係止された咥え側端部６を押圧可能な角度からなる鈍角に折り曲げられている。すなわち、咥え尻側端部８は、平常時の折り曲げ角度βよりも小さくなるように折り曲げた状態で刷版装着溝１２内に挿入された後、刷版装着溝１２内において外力が排除され、その折り曲げ角度が復元方向に広がった際に、咥え側溝壁１３ａ又は咥え側端部６を押圧するよう構成されている。咥え尻側端部８の平常時の折り曲げ角度βは、図８（ａ）に示すような、咥え側端部６が版胴本体１０のエッジ部１３に係止し、かつ、版胴本体１０の内部において咥え尻側端部８の少なくとも一部が咥え側端部６の表面（又は刷版装着溝１２内の咥え側溝壁１３ａ）を押圧した状態における、咥え尻側端部８の折り曲げ角度Ｘよりも、大きい角度（すなわち、平常時の折り曲げ角度β＞仮装着時の折り曲げ角度Ｘ）となるよう設定されている。この咥え尻側端部８の平常時の折り曲げ角度βは、仮装着状態における咥え尻側端部８の折り曲げ角度Ｘよりも、好ましくは１〜１０°、より好ましくは３〜７°、更に好ましくは約５°大きくなるよう設定されている。咥え尻側端部８の平常時の折り曲げ角度β及び仮装着時の折り曲げ角度Ｘがこのような角度差となるよう設定されることにより、一人の作業員が発揮可能な程度の外力により咥え尻側端部８を折り曲げることができ、また、刷版装着溝１２内において咥え尻側端部８を咥え側溝壁１３ａ又は咥え側端部６に対して適度な押圧力で押圧させることができる。このような構成を備える咥え尻側端部８によれば、少なくとも一部が刷版装着溝１２内において咥え側溝壁１３ａ又は咥え側端部６を押圧することにより、刷版装着溝１２からの咥え尻側端部８の抜き出しが規制されるため、刷版４を版胴２に対して仮装着させることができる。ここで、咥え尻側端部８の折り曲げ角度とは、咥え尻側端部８とベース部４ａとの交点を頂点とした角度である。
【００３２】
仮装着時における咥え尻側端部８の折り曲げ角度Ｘは、「Ｘ＝１８０°−ｘ−γ」の式（式１）から求めることができる。ここで、ｘは、図８（ａ）に示す仮装着状態を図８（ｂ）に示すように簡略化させた場合における、折り曲げ角度Ｘを内角とした場合の外角である。また、γは、折り曲げ角度Ｘが版胴２の外周面の曲率を考慮した角度となるよう補正するための補正角度である。
【００３３】
図８（ｂ）に示す外角ｘは、「ｔａｎα＝ａ・ｓｉｎｘ／（ａ・ｃｏｓｘ−ｂ）」の式（式２）から求めることができる。ここで、ａは咥え尻側端部８の長さであり、ｂは刷版装着溝１２の溝幅であり、αは咥え側端部６の折り曲げ角度である。これらａ、ｂ及びαは、版胴２の種類等に応じて定められる数値であり、任意の数値とすることができる。
【００３４】
補正角度γは、版胴本体１０の外周面の曲率に応じて定められる補正値であり、「γ＝１０００／ｒ」の式（式３）から求めることができる。ここで、ｒは、版胴本体１０の半径である。本実施形態においては、版胴２が所謂４（Ｗ）×１（Ｌ）型の版胴であるため、版胴本体１０の半径は８６．５ｍｍ（直径１７３ｍｍ）であり、上記式３から、補正角度γは１１．５°である。なお、例えば版胴２が所謂４（Ｗ）×２（Ｌ）型の版胴である場合には、版胴本体１０の半径が１７３ｍｍ（直径３４６ｍｍ）であるため、上記式３から、補正角度γは５．８°である。
【００３５】
ここで、咥え尻側端部８の平常時の折り曲げ角度βについて、所謂４（Ｗ）×１（Ｌ）型の版胴であり、咥え尻側端部８の長さａが１０ｍｍであり、刷版装着溝１２の溝幅ｂが３ｍｍであり、咥え側端部６の折り曲げ角度αが４８．５°である版胴を例に挙げて、説明する。まず、この一例に係る版胴において、図８（ｂ）に示す外角ｘは、上記式２から、３５．５°である。また、この一例に係る版胴は、所謂４（Ｗ）×１（Ｌ）型の版胴であるから、上記のとおり、補正角度γは１１．５°である。このため、この一例に係る版胴において、仮装着時における咥え尻側端部８の折り曲げ角度Ｘは、上記式１から、１３３°である。よって、この一例に係る版胴では、咥え尻側端部８の折り曲げ角度βは、１３３°より大きく、かつ、１８０°未満の角度であれば良い。
【００３６】
次に、本実施形態に係る刷版４を版胴２に装着する方法について、図９を用いて説明する。刷版４の版胴２への取り付けは、まず、刷版装着装置５０の係止部材５２を解除位置に位置させた状態において、刷版４の一端縁部に形成された咥え側端部６を刷版装着溝１２の一方側のエッジ部１３に係止させ（係止工程）、版胴２を印刷回転と同じ向き（図１、図３及び図４に示す矢印Ａの方向）に略１回転させることにより、刷版４のベース部４ａを版胴２の外周面に巻き付ける（刷版巻付工程）。
【００３７】
そして、刷版４の咥え尻側端部８が刷版装着溝１２の位置に達した際に、図９（ａ）に示すように、咥え尻側端部８の折り曲げ角度が平常時の折り曲げ角度βよりも小さくなるように作業者からの外力（折り曲げ力）を加えることにより、咥え尻側端部８を折り曲げる（折曲工程）。この際の咥え尻側端部８の折り曲げ角度は、咥え尻側端部８が刷版装着溝１２内に進入し易い角度、例えば略９０°が好ましい。
【００３８】
次に、折り曲げられた状態の咥え尻側端部８を刷版装着溝１２内に挿入し（挿入工程）、その後、咥え尻側端部８に対する作業者からの外力を排除する。作業者からの外力が排除されると、咥え尻側端部８は、図９（ｂ）に示すように、版胴２の内部において、復元方向に働く咥え尻側端部８のばね力によって咥え側端部６の表面（又は刷版装着溝１２内の咥え側溝壁１３ａ）側に回動し、その少なくとも一部が咥え側端部６の表面（又は刷版装着溝１２内の咥え側溝壁１３ａ）を押圧する。これにより、咥え尻側端部８が刷版装着溝１２から抜け出ることが防止され、刷版４が版胴２に対して仮装着される（仮装着工程）。
【００３９】
次に、刷版４が版胴２に仮装着されている状態において、図９（ｃ）に示すように、対応する操作機構（第１〜第４操作機構５４ａ〜５４ｄ）を操作して係止部材５２を装着位置まで回転させる。これにより、係止部材５２の係止爪５８が咥え尻側端部８の係止部８ａに係止し、咥え尻側端部８を版胴２の内部方向へ引き込むため、刷版４が版胴２の外周面に強固に装着される（刷版装着工程）。
【００４０】
以上説明した本実施形態に係る刷版付き版胴１及びその装着方法は、例えば以下のような利点を有している。
【００４１】
すなわち、本実施形態に係る刷版４は、咥え尻側端部８が、一人の作業員が発揮可能な程度の外力により更に折り曲げることが可能で、かつ、その外力を排除した際に元の形状に復元することが可能な弾性を有しているため、咥え尻側端部８を平常時よりも折り曲げた状態で版胴２の刷版装着溝１２に挿入し、その後外力を排除するという非常に簡単な工程のみで、刷版４を版胴２に仮装着させることができる。また、本実施形態に係る刷版装着装置５０は、刷版４を版胴２に仮装着させるための特別な機構を必要としないため、その構造を簡潔にすることが可能である。以上のように、本実施形態に係る刷版付き版胴１及び刷版装着方法によれば、刷版４を版胴２に対して装着させるための刷版装着装置５０の構造を複雑化させることなく、版胴２に対する刷版４の取り付け作業を一人でも容易に行うことが可能である。
【００４２】
以上、本発明の好適な実施形態について説明したが、本発明の技術的範囲は、上述した実施形態に記載の範囲には限定されない。上記各実施形態には、多様な変更又は改良を加えることが可能である。
【００４３】
例えば、上述した実施形態における説明では、版胴２が、所謂４（Ｗ）×１（Ｌ）型の版胴であるものとして説明したが、これに限定されず、例えば所謂４（Ｗ）×２（Ｌ）型の版胴等、種々の版胴を用いることが可能である。
【００４４】
上述した実施形態における説明では、版胴本体１０が、本体部材１４と蓋部材１８とを備えるものとして説明したが、これに限定されず、軸方向に沿って延びる刷版装着溝１２及び該刷版装着溝１２に連続する内部空間である収容部１１が形成された円柱状の版胴本体１０であれば、いかなる版胴本体を用いても良い。
【００４５】
上述した実施形態における説明では、蓋部材１８が、長手方向に複数分割されるものとして説明したが、これに限定されず、蓋部材１８は、本体部材１４の溝部１６を部分的に閉塞することにより刷版装着溝１２及び収容部１１を形成可能な構成であれば良い。
【００４６】
上述した実施形態における説明では、刷版装着装置５０が、第１〜第４角変位軸５２ａ〜５２ｄを備えた係止部材５２と、係止部材５２の両端部に設けられた第１〜第４操作機構５４ａ〜５４ｄとを備えるものとして説明したが、これに限定されず、刷版装着装置５０は、刷版装着溝１２内に挿入された咥え尻側端部８を引き込むことで刷版４を版胴本体１０の周面に装着させることが可能な構成であれば、いかなる構成であっても良い。
【００４７】
上述した実施形態における説明では、第１〜第４操作機構５４ａ〜５４ｄが、装着位置と解除位置との間において対応する角変位軸を角変位させ、これらの位置でロックするよう構成されるものとして説明したが、これに限定されず、刷版４の取り付け及び取り外しが可能となるように係止部材５２を操作可能な機構であれば、いかなる構成であっても良い。
【００４８】
上述した実施形態における説明では、版胴２のエッジ部１３の角度及び刷版４の咥え側端部６の折り曲げ角度αが、それぞれ鋭角であるものとして説明したが、これに限定されず、版胴２のエッジ部１３に刷版４の咥え側端部６が係止可能な構成であれば、いかなる構成であっても良い。
【００４９】
上述した実施形態における説明では、仮装着時における咥え尻側端部８の折り曲げ角度Ｘが「Ｘ＝１８０°−ｘ−γ」の式（式１）から求められるものとして説明したが、これに限定されず、補正角度γを考慮することなく、「Ｘ＝１８０°−ｘ」から求めるものとしても良い。
【符号の説明】
【００５０】
１  刷版付き版胴、２，１００  版胴、２ａ，２ｂ  取付け軸、４，１１０  刷版、４ａ  ベース部、４ｂ，４ｃ  切欠き、６，１１２  咥え側端部、８，１１４  咥え尻側端部、８ａ  係止部１０  版胴本体、１１，１０４  収容部、１２，１０２  刷版装着溝、１３，１０３  エッジ部、１３ａ  咥え側溝壁（咥え側の壁部）、１４  本体部材、１４ａ，１４ｂ  操作開口部、１６  溝部、１８  蓋部材、１８ａ  先端縁、１８ｂ  側面、１８ｃ  上面、１９  固定具、２０  ピン付きブロック部材、２２  短尺状ブロック部材、２４  長尺状ブロック部材、５０，１０６，１０６´  刷版装着装置、５２  係止部材、５２ａ  第１角変位軸、５２ｂ  第２角変位軸、５２ｃ  第３角変位軸、５２ｄ  第４角変位軸、５４ａ  第１操作機構、５４ｂ  第２操作機構、５４ｃ  第３操作機構、５４ｄ  第４操作機構、５５  レバー、５６  シャフト部材、５７  逃げ溝、５８，１０８，１０８´  係止爪、６０  軸受け部材、Ａ  版胴の回転方向、Ｘ  咥え尻側端部の仮装着時の折り曲げ角度、ａ  咥え尻側端部の長さ、ｂ  刷版装着溝の溝幅、ｘ  外角、α，α´  咥え側端部の折り曲げ角度、β  咥え尻側端部の平常時の折り曲げ角度、γ  補正角度
【図１】
2015231685.tif 000003
【図２】
2015231685.tif 000004
【図３】
2015231685.tif 000005
【図４】
2015231685.tif 000006
【図５】
2015231685.tif 000007
【図６】
2015231685.tif 000008
【図７】
2015231685.tif 000009
【図８】
2015231685.tif 000010
【図９】
2015231685.tif 000011
【図１０】
2015231685.tif 000012
【図１１】
2015231685.tif 000013